(57)【特許請求の範囲】
【請求項１】
各位置に設置してある１以上のアクセスポイントにアクセスする表示端末毎に、コンテンツの表示能力を表す表示端末情報、ネットワーク情報、及び所在を表す実空間情報のエントリー情報が入力される表示端末エントリーと、
同一の前記アクセスポイントに接続している１以上の前記表示端末でグループを形成し、該形成されたグループ毎に、前記表示端末エントリーに入力された前記エントリー情報を保持する表示端末レジストリと、
前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンカと、
前記表示端末の状態の変更に伴って、前記エントリー情報の変更の情報を収集し、前記表示端末レジストリが保持する前記エントリー情報を修正させ、前記表示端末グループリンカが作成する前記表示映像に反映させる表示端末情報マネジメント部と、
を備える情報表示装置。
【請求項２】
ユーザの表示端末の前記実空間情報に基づいて、予め特徴情報レジストリに保管された実空間に現れる事象である特徴情報を提供する特徴情報ディスパッチャと、
ユーザの表示端末の前記実空間情報に基づいて、前記表示端末レジストリが保管するグループから前記ユーザが利用できるグループを検出し、前記グループとユーザとをリンクさせる第１リンク部と、
前記特徴情報ディスパッチャが提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク部と、
前記第２リンク部からの前記コンテンツ及び前記表示位置情報を前記表示端末グループリンカへ送信し、前記共同画面の所望位置に前記コンテンツを表示させるコンテンツディスパッチャと、
をさらに備えることを特徴とする請求項１に記載の情報表示装置。
【請求項３】
前記コンテンツディスパッチャが前記共同画面の所望位置に表示させている前記コンテンツに対して、ユーザが行った所定処理を操作情報として取得するイベントハンドラと、
前記イベントハンドラが取得した操作情報に基づき、前記コンテンツの表示変更の処理を行うイベントクライアントと、
前記イベントクライアントの処理に基づき、ユーザが行った前記所定処理に従う前記コンテンツの表示変更を前記表示端末グループリンカへ送信し、前記共同画面の前記コンテンツを変更させるコンテンツウィンドウマネージャーと、
をさらに備えることを特徴とする請求項２に記載の情報表示装置。
【請求項４】
各位置に設置してある１以上のアクセスポイントにアクセスする表示端末毎に、コンテンツの表示能力を表す表示端末情報、ネットワーク情報、及び所在を表す実空間情報のエントリー情報が入力される表示端末エントリー手順と、
同一の前記アクセスポイントに接続している１以上の前記表示端末でグループを形成し、該形成されたグループ毎に、前記表示端末エントリー手順で入力された前記エントリー情報を表示端末レジストリに保持するエントリー情報保持手順と、
前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンク手順と、
前記表示端末の状態の変更に伴って、前記エントリー情報の変更の情報を収集し、前記表示端末レジストリが保持する前記エントリー情報を修正させ、前記表示端末グループリンク手順で作成する前記表示映像に反映させる表示端末情報マネジメント手順と、
を行う情報表示方法。
【請求項５】
ユーザの表示端末の前記実空間情報に基づいて、予め特徴情報レジストリに保管された実空間に現れる事象である特徴情報を提供する特徴情報ディスパッチ手順と、
ユーザの表示端末の前記実空間情報に基づいて、前記表示端末レジストリが保管するグループから前記ユーザが利用できるグループを検出し、前記グループとユーザとをリンクさせる第１リンク手順と、
前記特徴情報ディスパッチ手順で提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク手順と、
前記第２リンク手順での前記コンテンツ及び前記表示位置情報を前記表示端末グループリンク手順の際に提供し、前記共同画面の所望位置に前記コンテンツを表示させるコンテンツディスパッチ手順と、
をさらに行うことを特徴とする請求項４に記載の情報表示方法。
【請求項６】
前記コンテンツディスパッチ手順で前記共同画面の所望位置に表示させている前記コンテンツに対して、ユーザが行った所定処理を操作情報として取得するイベントハンドル手順と、
前記イベントハンドル手順で取得した操作情報に基づき、前記コンテンツの表示変更の処理を行うイベントクライアント手順と、
前記イベントクライアント手順で行う処理に基づき、ユーザが行った前記所定処理に従う前記コンテンツの表示変更を前記表示端末グループリンク手順の際に提供し、前記共同画面の前記コンテンツを変更させるコンテンツウィンドウマネージ手順と、
をさらに行うことを特徴とする請求項５に記載の情報表示方法。
【請求項７】
請求項４から６のいずれかに記載の情報表示方法をコンピュータに実行させるためのプログラム。
【発明の詳細な説明】
【技術分野】
【０００１】
本開示は、複数の表示端末を組み合わせて１つの表示端末として機能させる情報表示装置、情報表示方法、及びプログラムに関する。
【背景技術】
【０００２】
１．発明のバックグラウンド
１．１ 従来技術に関する情報
従来のデスクトップやラップトップに加えて、スマートフォンやタブレットのような可搬型機器からデジタルサイネージのような公共の端末に至って、出先の環境でコンテンツ（テキスト、画像、動画、アプリケーション）を利活用する環境が整っている。現在のコンテンツを利用する方法は、各表示端末に自動的に表示されたコンテンツか（プッシュ）、あるいはユーザ自身が表示端末からコンテンツを要求する（リクエスト）方式で、各表示端末内でユーザはコンテンツを利用することとなる。
【０００３】
そのような利用方式では、必要なコンテンツを利活用するためには、周囲の表示端末に偶然コンテンツが表示されているものを利用するか、ユーザが自ら要求し、表示端末に必要なコンテンツを表示した後に、コンテンツを利用する必要がある。コンテンツの利用は１つの表示端末内での利用が前提となっており、そのため現在のコンテンツの利用は、表示端末間で断続的である。
【０００４】
例えば、デスクトップやラップトップで２つの表示端末を接続してデュアルディスプレイとしてコンテンツを利活用する際には、ユーザが利用しやすいように様々なコンテンツを２つの表示端末間を自由にユーザ自身の好みで利活用できる。
【先行技術文献】
【特許文献】
【０００５】
【特許文献１】特許５２８２０８０号
【特許文献２】特許５０８９５８３号
【特許文献３】特許５１８３２８３号
【発明の概要】
【発明が解決しようとする課題】
【０００６】
しかし、現在のコンテンツの提示と利用方法の場合は、利用方法が限定されている。デジタルサイネージならば、目的の広告を表示するのみである場合や、ＫＩＯＳＫ端末のように特定の操作をしてユーザのコンテンツを表示させる利用方法となっている。街頭の表示端末にユーザの必要なコンテンツをプッシュ方式で表示させて自由に表示端末間で提示されているコンテンツを利用することは既存技術では難しい。
【０００７】
ユーザが出先で街頭の表示端末やユーザ自身が所有する表示端末を連携させて、ユーザに適切にコンテンツを提示し、それらを表示端末間で自由に利活用できるならば、表示端末間で連続的なコンテンツの利用が可能となる。これにより、ユーザは自身の所有する表示端末だけでなく、周囲にある表示端末を利活用することが可能となり、表示端末の利用機会を増加させることができる。また、ユーザの周囲の表示端末に、各ユーザに誂えたコンテンツを適切な表示端末の位置に表示する仕組みにより、多様なコンテンツの利用機会も増加させることができる。そして、表示端末間で自由に操作可能になるとそのユーザの好みに合わせて利活用できることや、他者とのコンテンツ利用方法は、１つの表示端末に限定されないため、コンテンツの利用方法を拡張することができる。
【０００８】
上記のようなシステム、すなわち、ユーザと各表示端末同士を連携させて自由にコンテンツを利活用できる環境は、従来のコンテンツを利用するための表示端末の使用方法では実現されていない。
【０００９】
本発明では、提示した課題を解決するために、まず、
（１）街角など実空間に設置されている表示端末をそれぞれ各位置で１つの表示端末となるようグループ化する仕組みを実現する。
これまで周囲の表示端末をグループ化して活用する方法は、従来技術を用いて複数の表示端末を１つのタイルのように張り合わせてグループ化する仕組みである。従来技術ではあらかじめグループ化しておかなければないのを、各位置に設置してあるデジタルサイネージやその場所に訪れたユーザの表示端末を動的にグループ化することが可能となる。このようなグループ化する基本的な仕組みは、単独ではすでに公開されている。例えば、特許文献１がある。
【００１０】
一方で、各位置に設置してあるデジタルサイネージのような表示端末に、ユーザにとって必要となるコンテンツが、一番近くの表示端末の適切な位置に表示されている可能性は低い。特許文献２、３のように目の前の表示端末に対して、ユーザに誂えたコンテンツを提示する方法は従来技術により実現されているものの、周囲の表示端末で最も近い位置のもので、さらに画面上の適切な位置に適切なサイズのコンテンツを表示させる仕組みは考案されていない。
【００１１】
そこで、本発明では、
（２）各位置で近傍の表示端末の適切な画面位置に適切なサイズのコンテンツを提示する仕組みを実現し、
（３）上記（１）と（２）の仕組みとを連携させ、表示端末同士を連携させて自由にコンテンツを操作できる仕組みを実現する。
【００１２】
つまり、本発明では、（１）各位置にある表示端末をグループ化する仕組みの実現を行い、各位置に設置してあるデジタルサイネージやユーザの所有する表示端末をグループ化して利用可能にする。さらに、（２）各位置でユーザの近傍の表示端末の中で最も近いもので、ユーザにとってその画面の適切な位置に適切なサイズのコンテンツを表示する仕組みを実現する。すなわち、ユーザとコンテンツの表示端末を介した結び付けの仕組みである。これによりユーザにとって最も近傍の表示端末の画面上で、ユーザと表示端末との距離から利用や視聴がしやすいサイズのコンテンツを提示することができる。さらに、（３）上記（１）と（２）の仕組みに基づいて、グループ化した表示端末上で適切な位置に表示されたコンテンツを自由に利活用する仕組みが実現される。本発明は、これらにより、ユーザと表示端末同士を連携させて自由にコンテンツを操作可能な環境を構築することができる方法を提案する。すなわち、ユーザによるコンテンツの利用を、表示端末同士を連携させて利用できるよう拡張する機能の発明に関する。
【００１３】
１．２  従来技術の問題点と発明が解決しようとしている課題
ユーザと表示端末同士を連携させて自由にコンテンツを操作することを可能にするための仕組みは、上述のように大きく以下３つの要素を実現する必要がある。
【００１４】
（１） 各位置にある表示端末をグループ化する仕組み
（２） ユーザとコンテンツの表示端末を介した結び付けの仕組み
（３） グループ化した表示端末上でコンテンツを自由に利活用する仕組み
【００１５】
従来のデジタルサイネージやユーザの表示端末を活用して、コンテンツを利活用するのは基本的に利用している表示端末のみであった。ユーザの近傍の表示端末も、基本的に同様で、リクエスト方式では近傍の表示端末を利活用できるものの、やはり利用方法はそのリクエストのために間近まで接近した表示端末のみである。そのため、プッシュ方式で、近傍の表示端末同士を連携させてコンテンツを利用するような、ユーザによるコンテンツの利用方法を拡張する方式は実現されていない。
【００１６】
＜課題１：  各位置にある表示端末をグループ化する仕組み＞
元来、表示端末上でコンテンツを利用することは表示端末の種類にかかわらず単体での利用が基本である。表示端末には、ラップトップ、スマートフォン、タブレットといった個人の端末から、デジタルサイネージのような公共の端末まで多様である。これらはそれぞれがコンテンツを提示するようになっており、表示端末間同士を連携させ１枚の画面となるようなコンテンツの表示は難しい。
【００１７】
従来技術で、表示端末同士を連携させ、１つの表示端末のように複数の表示端末を利活用していく仕組みは、主として以下の方法がある。
【００１８】
ａ）  タイル型表示端末・共有ワークスペース
表示端末を１つ１つタイルのように張り合わせ、１つの表示端末のように扱う事例がある。また、類似して会議室のような部屋で、複数の表示端末を接続して、１つの共同ワークスペースとして扱う事例がある。これらは複数の表示端末が１つの表示端末かマルチディスプレイのようにしてそれぞれの表示端末を扱うことを可能にする仕組みである。
【００１９】
この方式の課題は、表示端末を連携させるためのグループ化が静的なことである。各表示端末上でグループ化をするためにサーバとなる１つの表示端末に対して、他の表示端末がネットワークからサーバへアクセスし、表示結果が表示端末同士で連携しているように出力する仕組みとなっていることである。
【００２０】
すなわち、従来技術ではデジタルサイネージから個人の端末に至って、各位置でグループ化するには、表示端末毎で設定することを強いることや、あらかじめグループ化できるような特定の種類の表示端末を示し合せておくことも必要である。
【００２１】
そのため、各表示端末同士を連携させるようなグループ化が動的になされていない。各位置で各表示端末をグループ化して利用する仕組みは発明されていない。
【００２２】
ｂ）  分散オペレーティングシステムの方法
表示端末同士を連携させるような仕組みには、分散オペレーティングシステムの方法を用いることもできる。各表示端末に分散オペレーティングシステムをインストールしておくことで、ユーザは各表示端末をユーザ自身の表示端末として利用できる仕組みである。各表示端末をネットワークに接続し、各表示端末へログインすると自身のワークスペースとして利活用できるようになる。
【００２３】
分散オペレーティングシステムによる表示端末同士の連携は、ユーザに各表示端末からユーザ自身の情報をネットワーク越し読みだして、使用する方法である。これは、デジタルサイネージや個人の端末にコンテンツをプッシュする仕組みが実現されておらず、情報表示装置としての利用は難しい。
【００２４】
すなわち、ユーザ周辺の表示端末をネットワークを介してグループ化はされているものの表示端末同士を連携させて表示するようなグループ化はなされていない。
【００２５】
本発明が解決する第１の課題は、各位置に設置されているデジタルサイネージのような公共の表示端末をグループ化し、表示端末同士で連携してコンテンツを表示可能にする仕組みを提供することである。これを、動的に実行し、グループ化された表示端末を再編しながら利活用できるようにすることである。各表示端末の解像度や設置されている位置を考慮して１つの表示端末となるように、各表示端末を編成することが課題である。
【００２６】
＜課題２：  ユーザとコンテンツの表示端末を介した結び付けの仕組み＞
デジタルサイネージのように設置された表示端末の中から、ユーザが利用しやすい位置にある近傍の表示端末を選択し、ユーザが利用しやすい画面の位置にコンテンツを表示する保証はない。従来技術で周辺の表示端末を活用するためには表示端末に接近し、何らかの通信手段でユーザの情報等を入力し、コンテンツが提示されるよう手順を踏む必要が求められる。そのため、ユーザの近傍の表示端末中から、利用する表示端末を選択し、画面上での表示位置やコンテンツのサイズを考慮して、コンテンツを提供することは難しい。
【００２７】
既存技術で、ユーザに対して各位置で表示端末を結びつけ、コンテンツを画面上でユーザに提供するものは以下のようである。
【００２８】
ｃ）  ＮＦＣ、Ｂｌｕｅｔｏｏｔｈ（登録商標）、ＲＦＩＤ等の近距離通信機能を用いる従来の方法
デジタルサイネージの表示端末に近距離通信機能を有しているスマートフォンや、ＩＣカードを特定の箇所にタッチすることで、ユーザの情報を提供し、当該デジタルサイネージに入力された情報に基づいてコンテンツを提供する仕組みである。この方法の課題は、活用する表示端末を決定するために、ユーザ自らが所定の位置まで移動し、通信端末を使用して情報を提供しなければならない点である。
【００２９】
すなわち、ユーザに周辺の表示端末を適宜、割り当てて、コンテンツを適切に提示するようなことは実現されておらず、利用する表示端末の決定とコンテンツを提示させるまでに所定の動作が必要となる。
【００３０】
ｄ）  位置情報サービス等のビックデータに基づく情報提供サービス
デジタルサイネージやスマートフォンといった個人の端末を活用して、位置情報や多様なセンサデータを活用して情報を提示する仕組みが発明されている。位置情報やセンサデータから検出した情報を基に、コンテンツを表示端末へプッシュする方式である。この方法の課題は、コンテンツを適宜選択して提供できるが、ユーザの適切な位置を考慮できないことや、利用する表示端末があらかじめ固定されていることである。
【００３１】
すなわち、ユーザに適切な使用する表示端末を近傍から選択し、コンテンツをユーザに適する画面上の位置やサイズで表示することが実現されておらず、利用する表示端末を事前に決めておく必要がある。
【００３２】
本発明が解決する第２の課題は、ユーザ周辺の表示端末、上記（１）の仕組みと連携する場合は表示端末グループ、の中からユーザに適したものを選択して、ユーザに誂えたコンテンツを選び、そして、画面上のユーザにとって利用可能な位置、あるいは視聴しやすいサイズでコンテンツを提示する仕組みを提供することである。
【課題を解決するための手段】
【００３３】
上記課題を解決するために、本発明に係る情報表示装置は、あるアクセスポイント（ＡＰ）に接続された各表示端末に対して、該ＡＰを介して表示端末エントリー手段にそれぞれのアドレス、解像度、および位置情報を通知させ、表示端末エントリー手段が、同一のＡＰに接続している表示端末に対して同一のグループＩＤを付与し、各表示端末から通知された情報とグループＩＤとを対応付けて表示端末レジストリ手段に登録し、表示端末グループリンカ手段が、表示端末レジストリ手段に登録されている各表示端末の解像度をグループＩＤ毎に参照し、同一のグループＩＤの全表示端末の解像度に基づいて１つの画面となる画面図を生成し、該画面図の中から各表示端末の位置情報に該当する部分の画像を当該表示端末のアドレス宛に送出することとした。
【００３４】
具体的には、本発明に係る情報表示装置は、
アクセスする表示端末毎に、コンテンツの表示能力を表す表示端末情報、ネットワーク情報、及び所在を表す実空間情報のエントリー情報が入力される表示端末エントリーと、
前記表示端末のアクセス単位で形成されたグループ毎に、前記表示端末エントリーに入力された前記エントリー情報を保持する表示端末レジストリと、
前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンカと、
を備える。
【００３５】
また、本発明に係る情報表示方法は、
アクセスする表示端末毎に、コンテンツの表示能力を表す表示端末情報、ネットワーク情報、及び所在を表す実空間情報のエントリー情報が入力される表示端末エントリー手順と、
前記表示端末のアクセス単位で形成されたグループ毎に、前記表示端末エントリー手順で入力された前記エントリー情報を表示端末レジストリに保持するエントリー情報保持手順と、
前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンク手順と、
を行う。
【００３６】
本発明に係る情報表示装置及び情報表示方法は、表示端末のグループを形成し、そのグループに属する端末の能力に応じた画像を作成するという各表示端末をグループ化する仕組みを持つため、各位置に設置されているデジタルサイネージのような公共の表示端末をグループ化し、表示端末同士で連携してコンテンツを表示可能にする仕組みを提供することができる。つまり、上記第１の課題を解決することができる。
【００３７】
また、本発明に係る情報表示装置は、アクセスする表示端末の通信状態の情報及び前記エントリー情報の変更の情報を収集し、前記表示端末レジストリが保持する前記エントリー情報を修正させ、前記表示端末グループリンカが作成する前記表示映像に反映させる表示端末情報マネジメント部をさらに備える。
【００３８】
本情報表示装置は、端末のグループへの加入脱退やネットワークの輻輳に応じてグループ再編成や画像のデータ量を増減することができる。
【００３９】
また、本発明に係る情報表示装置は、
ユーザの表示端末の前記実空間情報に基づいて、予め特徴情報レジストリに保管された実空間に現れる事象である特徴情報を提供する特徴情報ディスパッチャと、
ユーザの表示端末の前記実空間情報に基づいて、前記表示端末レジストリが保管するグループから前記ユーザが利用できるグループを検出し、前記グループとユーザとをリンクさせる第１リンク部と、
前記特徴情報ディスパッチャが提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク部と、
前記第２リンク部からの前記コンテンツ及び前記表示位置情報を前記表示端末グループリンカへ送信し、前記共同画面の所望位置に前記コンテンツを表示させるコンテンツディスパッチャと、
をさらに備える。
【００４０】
そして、本発明に係る情報表示方法は、
ユーザの表示端末の前記実空間情報に基づいて、予め特徴情報レジストリに保管された実空間に現れる事象である特徴情報を提供する特徴情報ディスパッチ手順と、
ユーザの表示端末の前記実空間情報に基づいて、前記表示端末レジストリが保管するグループから前記ユーザが利用できるグループを検出し、前記グループとユーザとをリンクさせる第１リンク手順と、
前記特徴情報ディスパッチ手順で提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク手順と、
前記第２リンク手順での前記コンテンツ及び前記表示位置情報を前記表示端末グループリンク手順の際に提供し、前記共同画面の所望位置に前記コンテンツを表示させるコンテンツディスパッチ手順と、
をさらに行う。
【００４１】
本発明に係る情報表示装置及び情報表示方法は、共同画面をユーザの携帯端末から入力された位置情報とセンサ情報に基づいて選択されたコンテンツを用いて生成するというユーザとコンテンツの表示端末を介した結び付けの仕組みを持つ。このため、ユーザ周辺の表示端末、上記の仕組みと連携する場合は表示端末グループ、の中からユーザに適したものを選択して、ユーザに誂えたコンテンツを選び、そして、画面上のユーザにとって利用可能な位置、あるいは視聴しやすいサイズでコンテンツを提示する仕組みを提供することができる。つまり、上記第２の課題を解決することができる。
【００４２】
また、本発明に係る情報表示装置は、
前記コンテンツディスパッチャが前記共同画面の所望位置に表示させている前記コンテンツに対して、ユーザが行った所定処理を操作情報として取得するイベントハンドラと、
前記イベントハンドラが取得した操作情報に基づき、前記コンテンツの表示変更の処理を行うイベントクライアントと、
前記イベントクライアントの処理に基づき、ユーザが行った前記所定処理に従う前記コンテンツの表示変更を前記表示端末グループリンカへ送信し、前記共同画面の前記コンテンツを変更させるコンテンツウィンドウマネージャーと、
をさらに備える。
【００４３】
そして、本発明に係る情報表示方法は、
前記コンテンツディスパッチ手順で前記共同画面の所望位置に表示させている前記コンテンツに対して、ユーザが行った所定処理を操作情報として取得するイベントハンドル手順と、
前記イベントハンドル手順で取得した操作情報に基づき、前記コンテンツの表示変更の処理を行うイベントクライアント手順と、
前記イベントクライアント手順で行う処理に基づき、ユーザが行った前記所定処理に従う前記コンテンツの表示変更を前記表示端末グループリンク手順の際に提供し、前記共同画面の前記コンテンツを変更させるコンテンツウィンドウマネージ手順と、
をさらに行う。
【００４４】
本発明に係る情報表示装置及び情報表示方法は、これらの仕組みによりグループ化した表示端末上でコンテンツを自由に利活用することができる。
【００４５】
本発明に係るプログラムは、前記情報表示方法をコンピュータに実行させるためのプログラムである。本発明に係る情報表示装置はコンピュータとプログラムによっても実現でき、プログラムを記録媒体に記録することも、ネットワークを通して提供することもできる。
【発明の効果】
【００４６】
本発明は、各位置に設置されているデジタルサイネージのような公共の表示端末をグループ化し、表示端末同士で連携してコンテンツを表示可能にする仕組みを提供することができる。さらに、本発明は、ユーザ周辺の表示端末、上記の仕組みと連携する場合は表示端末グループ、の中からユーザに適したものを選択して、ユーザに誂えたコンテンツを選び、そして、画面上のユーザにとって利用可能な位置、あるいは視聴しやすいサイズでコンテンツを提示する仕組みを提供することができる。
【００４７】
本発明に係る情報表示装置は、隣接して配置された複数の表示端末を動的にグループ化して１つの表示装置として機能させることができる。そして、本発明に係る情報表示装置は、該表示装置にユーザに応じたコンテンツを表示することができる。
【図面の簡単な説明】
【００４８】
【図１】本発明に係る情報表示装置を説明する図である。
【図２】本発明に係る情報表示装置の各表示端末をグループ化する仕組みを説明する図である。
【図３】本発明に係る情報表示装置のユーザとコンテンツの表示端末を介した結び付けの仕組みを説明する図である。
【図４】本発明に係る情報表示装置のグループ化した表示端末上でコンテンツを自由に利活用する仕組みを説明する図である。
【図５】本発明に係る情報表示装置の動作例を説明する図である。
【図６】本発明に係る情報表示方法を説明する図である。
【図７】本発明に係る情報表示方法を説明する図である。
【図８】本発明に係る情報表示方法を説明する図である。
【発明を実施するための形態】
【００４９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００５０】
２．発明の内容
２．１  言葉の定義
ここで、本発明の説明で用いる言葉の定義をする。
【００５１】
ユーザ：
サイネージまたは自らの携帯端末を含む情報表示装置に表示されているコンテンツを見聞き、あるいは操作する人のことを指す。
情報表示装置：
デジタルサイネージやスマートフォンなど、常置またはモバイル性を問わず、情報表示画面にコンテンツを表示することが出来る装置のこと。
コンテンツ：
告知、宣伝など、文字や画像、動画等によって構成される情報のこと。
デジタルサイネージ：
常設で設置された画面にコンテンツを表示している装置のこと。
モバイル端末：
持ち運び可能な端末。スマートフォンフォンやタブレットといった可搬型機器からセンサと通信機能を有した端末を指す。
ネットワークスタッツ：
ネットワークの通信量、パケットロス状態、及び表示端末情報（計算機資源情報（例えば、バッテリー残量、メモリ状態、ＣＰＵ稼働率等である。））などの情報全般を指す。
表示映像：
表示端末に表示させる静止画や動画のコンテンツを意味する。
【００５２】
２．２  発明の技術的手段とその作用
本発明に係る情報表示装置は、デジタルサイネージや個人の表示端末を各位置で動的にグループ化をし、近傍のグループ化した情報表示装置に対して、ユーザが利用できる画面上の位置にコンテンツを提示し、表示端末同士が連携するようにしてコンテンツを自由に操作することを可能にするシステムである。以下、技術的な手段と作用を説明する。
【００５３】
２．２．１  技術的手段と作用
本発明に係る情報表示装置は、（１）各位置にある表示端末をグループ化する仕組み、（２）ユーザとコンテンツの表示端末を介した結び付けの仕組み、（３）グループ化した表示端末上でコンテンツを自由に利活用する仕組みから構成される。以下、各手段と作用について記す。
【００５４】
図１は、仕組み（Ａ）、（Ｂ）、及びそれに基づいてＧＵＩを提供する仕組み（Ｃ）を含む、本実施形態の情報表示装置全体の構成図である。
【００５５】
（Ａ）各表示端末をグループ化する仕組み
本実施形態の情報表示装置は、
アクセスする表示端末毎に、コンテンツの表示能力を表す表示端末情報、ネットワーク情報、及び所在を表す実空間情報のエントリー情報が入力される表示端末エントリー１１と、
前記表示端末のアクセス単位で形成されたグループ毎に、表示端末エントリー１１に入力された前記エントリー情報を保持する表示端末レジストリ１２と、
前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンカ１３と、
を備える。
そして、本実施形態の情報表示装置は、アクセスする表示端末の通信状態の情報及び前記エントリー情報の変更の情報を収集し、前記表示端末レジストリが保持する前記エントリー情報を修正させ、前記表示端末グループリンカが作成する前記表示映像に反映させる表示端末情報マネジメント部１４をさらに備える。
以下、それぞれの機能ブロックについて説明する。
【００５６】
＜表示端末エントリー＞
表示端末エントリー１１では、表示端末を実際に各位置で表示端末グループに参加させるために、解像度といった表示端末の情報と、ＩＰアドレスといったネットワークの情報、位置情報（屋外や屋内）の実空間の情報をネットワークを介して入力する。グループ化はこのアクセスしているネットワーク単位で、各表示端末を１つのグループの単位にまとめる。これにより、各表示端末をグループ化することと、通信用のセッションを確立することができるようになる。
【００５７】
＜表示端末レジストリ＞
表示端末レジストリ１２では、受け取った各表示端末の情報を保持する。保持の方法はデータベースのようなテーブル構造を用いる。各表示端末情報は、表示端末グループごとに保持して置き、それら情報は表示端末グループリンカ１３へと送信される。表示端末レジストリ１２により、各表示端末とグループ化した情報を一括して管理することが可能となる。
【００５８】
＜表示端末情報マネジメント部＞
表示端末情報マネジメント部１４は各表示端末の状態の変更に伴って、表示端末レジストリ１２と表示端末グループリンカ１３に状態情報や、表示端末エントリー１１で収集した情報に変更がある場合に、各表示端末とのセッションより受け取った情報を提供する。
【００５９】
＜表示端末グループリンカ＞
表示端末グループリンカ１３では、表示端末グループの各表示端末の情報を活用して、表示端末グループの画面を生成し、各表示端末に対して割り当てた画面の出力部分をネットワークを介して表示端末へ送信し、表示させる。これにより各表示端末により形成された１つの画面が表示されるようになり、表示端末同士の連携により、１つの情報表示装置が生成される。
【００６０】
（Ｂ）ユーザとコンテンツの表示端末を介した結び付けの仕組み
本実施形態の情報表示装置は、
ユーザの表示端末の前記実空間情報に基づいて、予め特徴情報レジストリに保管された実空間に現れる事象である特徴情報を提供する特徴情報ディスパッチャ２１と、
ユーザの表示端末の前記実空間情報に基づいて、前記表示端末レジストリが保管するグループから前記ユーザが利用できるグループを検出し、前記グループとユーザとをリンクさせる第１リンク部２２と、
特徴情報ディスパッチャ２１が提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク部２３と、
第２リンク部２３からの前記コンテンツ及び前記表示位置情報を表示端末グループリンカ１３へ送信し、前記共同画面の所望位置に前記コンテンツを表示させるコンテンツディスパッチャ２４と、
をさらに備える。
以下、それぞれの機能ブロックについて説明する。
【００６１】
＜ユーザ情報の入力＞
ユーザの実空間情報をトリガにしてコンテンツをユーザに提示させる仕組みを動作させる。ユーザはモバイル端末にクライアントとなる情報入力用のアプリケーションをインストールしておき、アプリケーションより収取した実空間情報（例えば位置情報）を入力する。これにより、ユーザに対してコンテンツを提示する仕組みの一連の処理を実行する。
【００６２】
＜コンテンツディスパッチャ＞
コンテンツディスパッチャ２４では、入力されたユーザからの実空間情報を基に、どの表示端末グループを使用するのかを表示端末グループとユーザのリンク（第１リンク部）２２より、情報を入手し、特徴情報ディスパッチャ２１より、実空間情報に基づく、ユーザの状態や、周囲の状況を表した特徴情報を検出し、そして、コンテンツとユーザをリンクする様に表示端末グループ上の表示位置をコンテンツとユーザの表示端末上のリンク（第２リンク部）２３より特定する。そして、上記（１）の表示端末グループリンカ１３にコンテンツの描画依頼を送信する。これにより、ユーザとコンテンツを結びつけるように、近傍の表示端末グループを選択し、画面上の適切な位置にコンテンツが提示されるようになる。具体的には、コンテンツディスパッチャ２４は、位置情報からユーザ（ユーザが持つ表示端末）と他の表示端末との距離を算出し、ユーザとコンテンツを結びつける。
【００６３】
＜表示端末グループとユーザのリンク（第１リンク部）＞
表示端末グループとユーザのリンク（第１リンク部）２２では、実空間情報より、上記（１）の表示端末レジストリ１２よりユーザの位置に適切な表示端末グループの情報を取得し、どの表示端末グループを使用するのかを決定する。これにより、ユーザにとって利用可能な表示端末を各位置で動的に活用できるようになる。
【００６４】
＜特徴情報ディスパッチャ＞
特徴情報ディスパッチャ２１では、事前に実空間情報の条件を登録する特徴情報レジスターという登録用アプリケーションを用意し、特徴情報レジストリ内に実空間情報により条件付けした特徴情報を登録し、保持しておく。そして、コンテンツディスパッチャ２４より、実空間情報の入力と問い合わせがあると、レジストリ内のテーブル構造により保持された条件から参照して、特徴情報を返す。これにより、ユーザの状態やユーザの周囲の情報を表す特徴情報を検出することができる。
【００６５】
＜コンテンツとユーザの表示端末上のリンク（第２リンク部）＞
コンテンツとユーザの表示端末上のリンク（第２リンク部）２３では、特徴情報から参照してコンテンツレジストリよりコンテンツを選択する。コンテンツは、コンテンツ登録用アプリケーションより、事前に特徴情報と対応付けして登録できるようになっており、これにより特徴情報と対応付けしてコンテンツを登録しておく。コンテンツにはＩＤが割り当てられており、各コンテンツへのアクセス情報なども登録できるようになっている。それで、コンテンツを選択すると、コンテンツと対象者（ユーザ）とのリンクでコンテンツとユーザを結びつけるために、使用する表示端末グループ上の画面のどの位置に表示するのかを表示端末の情報とユーザの実空間情報を参照して表示位置を割り出す。これにより、ユーザが使用可能な位置にコンテンツを表示端末グループ上の画面に表示できるようになる。
【００６６】
（Ｃ）グループ化した表示端末上でコンテンツを自由に利活用する仕組み
本実施形態の情報表示装置は、
コンテンツディスパッチャ２４が前記共同画面の所望位置に表示させている前記コンテンツに対して、ユーザが行った所定処理を操作情報として取得するイベントハンドラ３１と、
イベントハンドラ３１が取得した操作情報に基づき、前記コンテンツの表示変更の処理を行うイベントクライアント３２と、
イベントクライアント３２の処理に基づき、ユーザが行った前記所定処理に従う前記コンテンツの表示変更を表示端末グループリンカ１３へ送信し、前記共同画面の前記コンテンツを変更させるコンテンツウィンドウマネージャー３３と、
をさらに備える。
本情報表示装置は、以下の機能を有するサーバを用意し、上記（Ａ）と（Ｂ）の環境上でコンテンツを操作するための手段、例えば、コンテンツ操作のためのＧＵＩ（Ｇｒａｐｈｉｃａｌ  Ｕｓｅｒ  Ｉｎｔｅｒｆａｃｅ）を提供する。
【００６７】
＜Ｅｖｅｎｔハンドラ＞
表示端末グループ上の画面でユーザがコンテンツを操作した操作情報（Ｈ／Ｗ）を受信して処理するサーバの役割を果たす機能を有する。Ｅｖｅｎｔハンドラ３１は、各表示端末の画面上での操作情報を受け付けるサーバ機能を提供する。そして、表示端末グループリンカ１３にコンテンツの表示状態を報せ、描画依頼をする。
【００６８】
＜Ｅｖｅｎｔクライアント＞
Ｅｖｅｎｔクライアント３２はＥｖｅｎｔハンドラ３１のサーバより受け取った操作情報を基にどのような操作が行われたか、コンテンツを移動させた、拡大した、コピーしたといった情報を検出し、コンテンツの表示位置の変更や、サイズの調整などを施せるよう操作情報を処理する。これにより、コンテンツウィンドウマネージャー３３でコンテンツの表示を変更する処置を可能にする。
【００６９】
＜コンテンツウィンドウマネージャー＞
コンテンツウィンドウマネージャー３３は、各コンテンツの表示端末グループの画面上で表示する位置を管理するための手段である。Ｅｖｅｎｔクライアント３２の情報より各コンテンツを画面上のどの位置に表示するか、サイズといったものを処理し、保持しておく。コンテンツのサイズ変更の際には適切な解像度等のコンテンツを選択し、利用できるように上記（Ｂ）のコンテンツレジストリより適宜コンテンツを選択する。表示しなおすコンテンツや、表示する位置の情報をＥｖｅｎｔハンドラ３１に渡し、描画依頼をするように依頼する。これにより、操作情報に基づいて各コンテンツの表示を変更できる作用を提供する。
【００７０】
２．３  発明に関する実施例
情報表示装置の実施例を、具体的な手段と作用を示しながら説明する。
【００７１】
２．３．１  各位置にある表示端末をグループ化する仕組み（Ａ）
各位置にある表示端末をグループ化する仕組みの実施例を示す。図１で示す情報表示装置モデルの中で（Ａ）に該当する処理により表示端末のグループ化の仕組みを説明する。図２は仮想環境である表示端末グループを構築するまでの実施例である。
【００７２】
本実施形態の情報表示方法は、アクセスする表示端末毎に、コンテンツの表示能力を表す表示端末情報、ネットワーク情報、及び所在を表す実空間情報のエントリー情報が入力される表示端末エントリー手順と、前記表示端末のアクセス単位で形成されたグループ毎に、前記表示端末エントリー手順で入力された前記エントリー情報を表示端末レジストリ１２に保持するエントリー情報保持手順と、を行う。
各表示端末はクライアントサイドとして、各位置に設置してあるＡＰ（Ｒａｓｐｂｅｒｙ  ＰＩ）にＩＥＥＥ８０２．１５．４等の無線ネットワークにアクセスすることで同一のＡＰに接続している表示端末をグループとして扱う。各表示端末はアクセスしたＡＰを通し、ＩＰアドレス、解像度、位置情報をサーバサイドの受信部１１ａに対してアップロードする。これが表示端末エントリー１１に該当する処理（α）である。
【００７３】
本実施形態の情報表示方法は、前記表示端末情報を参照して形成された前記グループに含まれる全ての表示端末を使って形成した１つの共同画面に表示させる１つの表示映像を作成し、前記実空間情報を参照して前記表示映像を前記グループに含まれる表示端末毎に分割し、前記ネットワーク情報を参照して分割した前記表示映像を前記グループに含まれるそれぞれの表示端末へ送信する表示端末グループリンク手順を行う。
アップロードされたデータは表示端末レジストリ１２にあたるＤＢにアップロードされ、表示端末グループリンカ１３の処理にデータが渡される。表示端末グループリンカ１３では、各表示端末グループの表示端末情報のうち、解像度の情報を参照して表示端末グループ全体の解像度から１つの画面となる画面図を作成し、表示端末グループリンカ１３内の処理のうち送信部で表示端末グループの各表示端末のＩＰアドレスを参照し、生成した画面図の中から各表示端末に該当する画面図をストリーミング形式で送出するようにして各表示端末を１つの画面となるようグループ化する（β）。
【００７４】
なお、表示用画像生成１３ａにて、表示端末グループのエントリポイントであるＡＰの位置を基準として、各表示端末をグループ化するために位置情報を参照して並べる。そうして、各表示端末をグループ化し、送信部１３ｂで実際に生成した画面図をストリーミング形式で送出するようにする（γ）。
【００７５】
表示端末リンカ１３は、各表示端末に画面図の該当部分をストリーミングで送出中に、表示端末情報マネジメント１４からの表示端末グループの各表示端末のネットワークスタッツ情報を参照して、ストリーミング処理を各表示端末の状態に適合するようにデータ転送量を調整する様にして画面図の送出処理を同時に行う（α’，β，γ）。
【００７６】
２．３．２  ユーザとコンテンツの表示端末を介した結び付けの仕組み（Ｂ）
図２で示す処理がなされたことを前提として、表示端末グループおよび、表示端末グループ上での対象ユーザとコンテンツの結び付けに関する実施例を図３に示す。
【００７７】
対象ユーザの位置情報とセンサ情報をスマートフォンより入力する（ａ）。この処理がトリガとなり、コンテンツと対象ユーザの結びつけがなされる。入力された位置情報とセンサ情報は、コンテンツディスパッチャ２４の処理内の受信部でデータを受け取り、依頼部で各処理を実施するリンカの役割を果たす。
【００７８】
本実施形態の情報表示方法は、ユーザの表示端末の前記実空間情報に基づいて、前記表示端末レジストリが保管するグループから前記ユーザが利用できるグループを検出し、前記グループとユーザとをリンクさせる第１リンク手順を行う。
入力後の最初の処理として、表示端末グループとユーザのリンク（第１リンク部）２２に関して処理をする（ｂ）。図１の（Ａ）のパートの表示端末レジストリ１２のＤＢに対して、ユーザの位置情報を入力し、最も近傍の表示端末グループを割り出す。そして、各表示端末の情報（解像度、ＩＰアドレス）と、表示端末グループの基準点であるＡＰの位置情報を取得する。表示端末の位置情報とユーザの位置情報との距離の参照により、利用する表示端末グループを決定する。
【００７９】
次に、本実施形態の情報表示方法は、ユーザの表示端末の前記実空間情報に基づいて、予め特徴情報レジストリに保管された実空間に現れる事象である特徴情報を提供する特徴情報ディスパッチ手順を行う。
提示するコンテンツを決定するための要素として位置情報とセンサ情報を使用して、特徴情報ディスパッチャ２１より特徴情報と定義する実空間上に現れる特徴（例えば、熱い、急坂、こぶがあるなど）をデータセットにより検出する（ｃ，ｄ）。特徴情報ディスパッチャ２１の検出部で、ユーザの位置情報とセンサ情報（速度、加速度、気温、時刻）を受け取り、特徴情報テーブルという、特徴情報のデータの各条件を位置情報により管理し、参照可能なテーブルに、位置情報とセンサ情報を入力して検出する。そして、各位置の特徴情報を検出する。
【００８０】
本実施形態の情報表示方法は、前記特徴情報ディスパッチ手順で提供する特徴情報に基づいて、コンテンツレジストリからコンテンツを選択し、ユーザの表示端末の前記表示端末情報及び前記実空間情報に基づいて、前記コンテンツを前記共同画面の中のいずれの位置に表示するか表示位置情報を決定する第２リンク手順を行う。
第２リンク部２３は、特徴情報を検出すると、コンテンツと対象ユーザの表示端末上のリンク（第２リンク）の処理を実施する（ｅ，ｆ，ｇ）。コンテンツレジストリより表示するコンテンツを特徴情報より選択する（ｆ）。コンテンツレジストリはＤＢとなっており、特徴情報のタグ情報により各コンテンツ（動画、アプリケーション、画像など）を選択、取得可能となっている。第２リンク部２３は、コンテンツを選択すると、ユーザの位置情報に基づき、表示端末グループのＡＰを基準点として並べてある表示端末グループの各表示端末の中から最も近い画面上の位置を割り出す。そして、その位置をコンテンツを表示する表示位置とする。表示するコンテンツの大きさは、ユーザと表示端末の表示する位置の距離に比例して大きくなるようにする。表示する位置が決定されると、（Ｃ）の部分のウィンドウマネージャー３３に表示端末グループ上のどの位置にどのコンテンツをどの大きさで表示するのか保持させる（ｅ）。そして、第２リンク部２３は、表示するコンテンツと表示位置をコンテンツディスパッチャ２４の依頼部に通知する（ｇ）。
【００８１】
最後に、本実施形態の情報表示方法は、前記第２リンク手順での前記コンテンツ及び前記表示位置情報を前記表示端末グループリンク手順の際に提供し、前記共同画面の所望位置に前記コンテンツを表示させるコンテンツディスパッチ手順を行う。（Ａ）の表示端末グループリンカ１３の表示用画像生成に対して、表示するコンテンツとその位置を報せ、コンテンツを表示端末グループの画面図に反映させ、それを送信部で表示端末グループの各表示端末に送出させ、表示させる（ｈ）。以上が、（Ｂ）の実施例である。
【００８２】
２．３．３  グループ化した表示端末上でコンテンツを自由に利活用する仕組み（Ｃ）
グループ化した表示端末上でコンテンツを自由（表示端末を連携）に利活用する実施例を図４に示す。
【００８３】
本実施形態の情報表示方法は、前記コンテンツディスパッチ手順で前記共同画面の所望位置に表示させている前記コンテンツに対して、ユーザが行った所定処理を操作情報として取得するイベントハンドル手順を行う。
（Ｃ）の処理にて表示端末を連携させてコンテンツを自由に利活用する仕組みでは、イベントと呼ばれる操作情報を扱う必要がある（ｉ）。操作情報は、コンテンツを利用した操作情報である。表示端末グループの表示端末はタッチパネルとなっており、直接、ユーザの操作に関する入力をセンシング可能となっている。こうしたセンシングされた操作情報がイベントハンドラ３１（サーバサイド）へと実時間で入力される（ｉ）。
【００８４】
本実施形態の情報表示方法は、前記イベントハンドル手順で取得した操作情報に基づき、前記コンテンツの表示変更の処理を行うイベントクライアント手順を行う。
入力された操作情報はイベントクライアント３２で、Ｈ／Ｗレポジトリ（テーブル型のリスト）で参照されながらイベントの種類を検出する（ｉｉ）。イベントは、コンテンツの拡大、縮小から、コンテンツの表示位置の移動といったコンテンツにまつわるものがある。また、表示端末グループの編成のイベントとして、表示端末の追加と切り離しも操作情報に含まれる。こうした情報の検出により、コンテンツの表示位置、コンテンツのサイズの変更に関して、どのくらいのコンテンツの移動か、どのくらいのサイズへの変更かを割り出して、イベントとしてイベントハンドラ３１へ情報を渡す。移動量や、変更サイズ等は、Ｈ／Ｗレポジトリ内に入力された操作情報の値、例えば、コンテンツの拡大・縮小では、操作の方向と量の値からコンテンツの拡大・縮小のイベントをＨ／Ｗレポジトリ内より割り出す。コンテンツの移動に関しても、移動量の値よりＨ／Ｗレポジトリより移動のイベントを割り出す。そうした情報をイベントハンドラ３１へ返すように処理を実施する（ｉｉ）。
【００８５】
本実施形態の情報表示方法は、前記イベントクライアント手順で行う処理に基づき、ユーザが行った前記所定処理に従う前記コンテンツの表示変更を前記表示端末グループリンク手順の際に提供し、前記共同画面の前記コンテンツを変更させるコンテンツウィンドウマネージ手順を行う。
次にコンテンツウィンドウマネージャー３３にて、検出したイベントのコンテンツの表示位置、大きさ、グループの再編に関しての情報が処理される（ｉｉｉ）。コンテンツのサイズの変更に際して必要な場合は（Ｂ）のコンテンツレジストリのＤＢに同一コンテンツのＩＤと変更サイズを渡すなどして、コンテンツの解像度等に変更が必要な場合に適宜コンテンツを選択しなおす。表示端末の再編により表示端末グループのサイズが変更された場合（表示端末の追加、切り離しイベント）やコンテンツの拡大・縮小がなされた時には解像度の変更を行う。そして、コンテンツウィンドウマネージャー３３上でコンテンツの表示位置を整理し、記録する（ｉｉｉ）。
【００８６】
最後に、コンテンツウィンドウマネージャー３３上で、コンテンツ表示位置やサイズの変更が表示端末グループ毎で更新されたならば、（Ａ）の表示端末グループリンカ１３へ表示端末グループへの画面図の描画依頼をイベントハンドラ３１より通知し、各表示端末へ表示端末グループとなるようコンテンツ描画させる（ｉｖ）。その際に、表示用のコンテンツと、その表示位置、大きさの情報が表示用画像生成の処理部に情報が渡されて、送信部で生成された画像がストリーミング形式で送信されるような処理手順となる。
【００８７】
なお、表示端末の追加と切り離しに関する処理は（Ａ）との連携が不可欠で、操作情報がイベントハンドラ３１へ渡されると同時に（Ａ）の処理がなされ、表示端末グループの再編成が並列処理としてなされる。追加の場合は図２で示した手順でα，β，γと処理され、切り離す場合はα’に対して、離脱のメッセージか離脱した後のセッションの切断を表示端末情報管理側で検出し、β，γの処理にて表示端末グループの再編を行う。コンテンツの表示に関する処理は、他のイベントと同様で（ｉ），（ｉｉ），（ｉｉｉ），（ｉｖ）の処理で実行される。
【００８８】
２．３．４  動作例
続いて本情報表示装置の具体的な動作例を説明する。
【００８９】
（動作Ｘ１）
上記（Ａ）、（Ｂ）の環境によりユーザの位置で、最も近い表示端末上の利用可能な位置に提示されたコンテンツを、グループ化された表示端末上で利活用できる。図６に手順を示す。（処理Ａ）で表示端末をグループ化し、（処理Ｂ）で使用する表示端末グループと対象のユーザとの距離を算出し、ステップＳ１１〜Ｓ１６にて対象ユーザに対して表示するコンテンツ、コンテンツの表示位置を割り出して、実際に提示する処理を実施する。
【００９０】
（動作Ｘ２）
表示端末グループ上の一部に表示されているコンテンツを、表示端末グループ全体へ拡大して利活用する。表示端末グループを構成する各表示端末全体で１つのコンテンツを表示することが可能となる。図７に処理Ｃの処理手順を示す。ステップＳ２１にてコンテンツの拡大のＥｖｅｎｔの通知を受け取り、ステップＳ２２で割り込みイベントの検出（コンテンツの拡大）、ステップＳ２３でコンテンツウィンドウにて表示位置を保持し、ステップＳ２４にて表示端末グループリンカ１３に画面への反映を依頼する。なお、縮小処理も拡大処理と同様である。
【００９１】
（動作Ｘ３）
表示端末グループ上で提示されたコンテンツを、表示端末グループを構成する表示端末間を自由にコンテンツを移動させて、表示させることや利用することが可能となる。表示端末グループを構成する表示端末を１つないしは複数活用して、コンテンツを表示することができる。図７で処理手順を説明する。ステップＳ２１でコンテンツの移動の割り込みＥｖｅｎｔを検知して、ステップＳ２２でコンテンツの移動を割り出し、ステップＳ２３でコンテンツの移動先を保持し、ステップＳ２４にて表示端末グループリンカ１３でコンテンツの表示位置を更新させるよう依頼する。
【００９２】
（動作Ｘ４）
表示端末グループに対して、１つないしは複数の表示端末を動的に追加して、表示端末グループそれ自体を拡張することができる。もともと提示されていたコンテンツを、追加した表示端末と合わせて編成しなおした表示端末グループにて動作Ｘ１〜Ｘ３を繰り返すことで、同様に利活用できる。図８に処理手順を示す。追加したい表示端末を図６で説明する（処理Ａ）で追加し、動作Ｘ２のようにコンテンツを拡大、縮小、又は移動させることが図７で説明するステップＳ２１〜Ｓ２４の処理を経て実現される。
【００９３】
（動作Ｘ５）
表示端末グループを形成している表示端末の１つないしは複数を、編成している表示端末グループより切り離して利活用することができる。表示端末を形成している表示端末グループより切り離す際には表示されているコンテンツを、切り離した表示端末に表示させるようにして取り出すことも可能となる。図８に処理手順を示す。まず、図７で説明する（処理Ｃ）にて切り出すコンテンツを切り出したい表示端末に移動させる。そして、図６で説明する（処理Ａ）で切り離しの処理を表示端末情報マネジメント部１４側の処理から施す。次に、切り出した表示端末が１つの表示端末グループとして動作するように、表示端末エントリー１１側より改めて処理を施す。
【００９４】
以上のような処理によって、動作Ｘ１〜Ｘ５のような表示端末を連携させたコンテンツの自由な利用が可能となる。
【００９５】
２．４  他の実施例
図２から図４で説明した情報表示装置では、サーバが１台だけで説明している。しかし、サーバは１台に限らず複数台存在してもよい。例えば、情報表示装置は、図２の（Ａ）の機能を有する第１サーバ、図３の（Ｂ）の機能を有する第２サーバ、及び図４の（Ｃ）の機能を有する第３サーバを備え、それぞれのサーバ間で情報を送受する構成であってもよい。
【００９６】
３．発明に関する先行技術
３．１  従来の表示端末を連携したコンテンツの利用方法
＜タイル型表示装置＞
タイル型表示装置では、表示端末を１枚のパネルの１部分としてつなぎ合わせ、１つの情報表示装置となるように扱う先行技術がある。各表示端末の解像度を考慮し、それぞれの表示端末に表示する出力するＧＵＩの画面を生成し、表示させる仕組みである。動的にグループ化できない点や、動的にユーザが利用するための管理がなされていない点で、巨大な情報表示装置と相違ない（特許文献１）。
＜共同ワークスペース表示装置＞
共同ワークスペースの表示装置では、各ユーザの表示端末同士をネットワークを介してつなぎ合わせ、画面を互いに共有できるような仕組みで表示端末間を連携させコンテンツを利活用可能にしている。このような仕組みは、会議室といった利用環境が限定されているため、自由な操作を出先の表示端末を動的に利活用して行うようなことはできない。
＜分散オペレーティングシステム＞
分散オペレーティングシステムでは、各表示端末をネットワークを介して接続可能となっており、各ユーザは各端末を共有するようにして利活用することができ、どの端末からでも動的に自身のワークスペースとしての活用が可能となっている。情報を表示させる装置としての仕組みの観点では、要求型であり、プッシュ型は対応しておらず、また、表示端末間での自由な操作は提供されていない。
【００９７】
３．２  デジタルサイネージにユーザ用のコンテンツを提示する方法
＜近傍通信技術を活用した情報表示装置＞
近傍通信装置を近づけることにより表示端末にコンテンツを提示させる仕組みである。近傍通信の装置ではＲＦＩＤ、ＮＦＣ、赤外線などがあげられる。こうしたものを活用して個人の情報に基づいてコンテンツを提示できる。利用できる表示端末の観点では、近傍通信を用いてタッチといった動作が求められるため利用可能な表示端末との距離が非常に狭い点やユーザ自身が表示端末に近づく行為が必要で、利用方法において限定的である（特許文献２）。
＜近傍の表示端末にコンテンツを表示させる装置＞
表示端末の近辺にユーザが接近すると、ユーザの目の高さ等を検出して、画面上の適切な位置にコンテンツを表示させ、プッシュ通知するようにユーザにコンテンツを提示する仕組みが発明されている。コンテンツの利用の観点では、ユーザに適切なサイズなどで表示できるものの、コンテンツの操作では１つの表示端末内にで限定されており、利用の観点では制限されている（特許文献３）。
【符号の説明】
【００９８】
１１：表示端末エントリー
１２：表示端末レジストリ
１３：表示端末グループリンカ
１４：表示端末情報マネジメント
２１：特徴情報ディスパッチャ
２２：第１リンク部（表示端末グループとユーザのリンク）
２３：第２リンク部（コンテンツと対象者の表示端末上のリンク）
２４：コンテンツディスパッチャ
３１：イベントハンドラ
３２：イベントクライアント
３３：コンテンツウィンドウマネージャー
【図１】
0006575965.tif 000002
【図２】
0006575965.tif 000003
【図３】
0006575965.tif 000004
【図４】
0006575965.tif 000005
【図５】
0006575965.tif 000006
【図６】
0006575965.tif 000007
【図７】
0006575965.tif 000008
【図８】
0006575965.tif 000009